(57)【要約】【課題】  表示素子のずれを防止できると共に、部品点数を削減でき、かつ、組立工程を簡略化できる液晶表示装置を提供する。【解決手段】  ケース１２と、前記ケース１２に載置される表示素子１３と、前記表示素子１３の周縁を覆うとともに前記ケース１２に係合するベゼル１４とを有する液晶表示装置１０であって、前記ケース１２に一体成形されているとともにベゼル１４側に向かって突出し、かつ、前記表示素子１３に対して弾性接触する弾性部１７が設けられている。【選択図】  図１
2006038993.tif 000002
【特許請求の範囲】
【請求項１】
ケースと、前記ケースに載置される表示素子と、前記表示素子の周縁を覆うとともに前記ケースに係合するベゼルとを有する液晶表示装置であって、
前記ケースおよび前記ベゼルのうちの少なくとも一方に一体成形されているとともに他方に向かって突出し、かつ、前記表示素子に対して弾性接触する弾性部が設けられていることを特徴とする液晶表示装置。
【請求項２】
前記弾性部が湾曲構造であることを特徴とする請求項１に記載の液晶表示装置。
【発明の詳細な説明】
【技術分野】
【０００１】
本発明は、ケースに載置される表示素子の周縁を前記ケースに係合するベゼルで覆うようにした構造の液晶表示装置に関する。
【背景技術】
【０００２】
従来より、図６に示すように、図示しない基板に４本の脚部２ａを介して取り付けられる枠状のケース２と、ケース２に載置されるＬＣＤ（表示素子）３と、ＬＣＤ３の周縁を覆うと共にケース２に係合する枠状のベゼル４とを有する液晶表示装置１が知られている（例えば特許文献１参照）。
【０００３】
組立に際しては、ケース２の上面にＬＣＤ３を載置して位置決めした後、ＬＣＤ３の周縁を覆いかぶせるようにベゼル４を載せ、次いで、ベゼル４の４隅に設けた係止孔５を各係止孔５に対応してケース２に設けられた係止爪６に係止することでケース２とベゼル４との間にＬＣＤ３を挟み込んで固定する。
【特許文献１】特開２００３−４４９３号公報
【発明の開示】
【発明が解決しようとする課題】
【０００４】
ところで、上記従来の液晶表示装置１においては、ＬＣＤ３を組み付ける際の有効スペースで極僅かなすき間によりＬＣＤ３がケース２とベゼル４との間で上下左右（平面内）にずれ、このずれによりがたつきが生じる問題がある。
この場合、ケース２の４隅とＬＣＤ３との間に緩衝材７を介装することで前記がたつきを防止することができるが、このようにすると、部品点数が増えて組立が面倒になるという不都合がある。
【０００５】
本発明は、前述した問題点に鑑みてなされたものであり、その目的は、表示素子のずれを防止できると共に、部品点数を削減でき、かつ、組立工程を簡略化できる液晶表示装置を提供することにある。
【課題を解決するための手段】
【０００６】
１）前述した目的を達成するために、本発明は、ケースと、前記ケースに載置される表示素子と、前記表示素子の周縁を覆うとともに前記ケースに係合するベゼルとを有する液晶表示装置であって、前記ケースおよび前記ベゼルのうちの少なくとも一方に一体成形されているとともに他方に向かって突出し、かつ、前記表示素子に対して弾性接触する弾性部が設けられていることを特徴としている。
【０００７】
このように構成された液晶表示装置においては、ケースに載置された表示素子の周縁をベゼルで覆ってベゼルをケースに係合した際に、ケースおよびベゼルのうちの少なくとも一方に一体成形された弾性部が表示素子に対して弾性接触するので、この弾性力により表示素子がケースとベゼルとの間でしっかりと固定されて上下左右（平面内）にずれるのを防止することができる。
また、前記弾性部がケースおよびベゼルのうちの少なくとも一方に一体成形されているので、部品点数を削減することができるとともに組立工程を簡略化することができる。
【０００８】
２）また、本発明は、前記弾性部が湾曲構造であることを特徴としている。
このように構成された液晶表示装置においては、弾性部が湾曲構造であり、両持ちバネ構造となるため、表示素子を安定して支持できる。
【発明の効果】
【０００９】
本発明によれば、ケースおよびベゼルのうちの少なくとも一方に一体成形されているとともに他方に向かって突出し、かつ、表示素子に対して弾性接触する弾性部が設けられているので、表示素子のずれを防止できると共に、部品点数を削減でき、かつ、組立工程を簡略化できる液晶表示装置を提供することができる。
【発明を実施するための最良の形態】
【００１０】
以下、本発明に係る実施形態を図面に基づいて詳細に説明する。図１は本発明に係る第１実施形態である液晶表示装置を説明するための分解斜視図、図２は本発明に係る第２実施形態である液晶表示装置を説明するための分解斜視図、図３は図２の部分拡大図、図４は本発明に係る第３実施形態である液晶表示装置を説明するための分解斜視図、図５は図４の部分拡大図である。
【００１１】
図１に示すように、本発明の第１実施形態である液晶表示装置１０は、図示しない基板に４本の脚部１１を介して取り付けられる枠状の樹脂製ケース１２と、ケース１２の上面に載置されるＬＣＤ（表示素子）１３と、ＬＣＤ１３の上面及び側面の周縁を覆うと共にケース１２に係合する枠状の金属製ベゼル１４とを備えている。
【００１２】
ケース１２、ＬＣＤ１３およびベゼル１４はいずれも矩形状をなしており、ベゼル１４の互いに対向する一対の短辺側にはそれぞれ係止孔１５が短手方向に互いに離間して２箇所（合計４箇所）形成され、ケース１２の互いに対向する一対の短辺側にはそれぞれ前記係止孔１５に対応する係止爪１６が短手方向に互いに離間して２箇所（合計４箇所）形成されている。
【００１３】
また、ケース１２の互いに対向する一対の長辺側の上面にはそれぞれ前記ケース１２と一体に成形された弾性部１７が長手方向に互いに離間して２箇所（合計４箇所）形成されている。弾性部１７はベゼル１４側に向かって膨出する円弧状、換言すれば湾曲構造であり、ケース１２の上面幅と略同一幅とされている。
【００１４】
そして、組立に際しては、ケース１２の上面にＬＣＤ１３を載置して位置決めした後、ＬＣＤ１３の上面及び側面の周縁を覆いかぶせるようにベゼル１４を載せ、次いで、ベゼル１４の４隅に設けた係止孔１５を各係止孔１５に対応してケース１２に設けられた係止爪１６に係止することでケース１２とベゼル１４との間にＬＣＤ１３を挟み込んで固定する。
このとき、ケース１２に一体成形された弾性部１７がＬＣＤ１３に対して弾性接触し、この弾性力によりＬＣＤ１３がケース１２とベゼル１４との間でしっかりと固定される。
【００１５】
前述した液晶表示装置１０によれば、ケース１２に一体成形されているとともにベゼル１４側に向かって突出し、かつ、ＬＣＤ１３に対して弾性接触する弾性部１７が設けられているので、ＬＣＤ１３をケース１２とベゼル１４との間でしっかりと固定することができ、これにより、ＬＣＤ１３が上下左右（平面内）にずれるのを防止することができる。
【００１６】
また、前記弾性部１７がケース１２に一体成形されているので、部品点数を削減することができるとともに組立工程を簡略化することができる。
更に、ケース１２の長辺側に弾性部１７を配置しているので、各弾性部１７の間隔を広く確保できる。従って、ケース１２にＬＣＤ１３を載置する際に安定した状態が得られる。
【００１７】
なお、本発明の液晶表示装置は、前述した実施形態に限定されるものでなく、適宜な変形，改良等が可能である。
【００１８】
例えば、前述した実施形態において、ベゼル１４側に向かって膨出する円弧状の弾性部１７の幅をケース１２の上面幅と略同一幅とした場合を例示したが、これに代えて、図２および図３に示すように、ベゼル１４側に向かって膨出する円弧状の弾性部２７の幅をケース１２の上面幅より幅狭にして幅方向外方に寄せて配置するとともに、弾性部２７の下方のケース１２上面に肉抜き部２８を形成し、かつ肉抜き部２８を補強する補強部２９を形成するようにしてもよい。このような構造とすることで、スライド型を不要にすることができる。
【００１９】
また、前述した実施形態において、ＬＣＤ１３に対して弾性接触する弾性部１７をケース１２側に配置した場合を例示したが、これに代えて、図４および図５に示すように、ＬＣＤ１３に対して弾性接触する弾性部３７をベゼル１４側に配置してもよい。
【００２０】
この例では、ベゼル１４の互いに対向する一対の長辺側にはＬＣＤ１３の側面を覆う部分は形成されておらず、ＬＣＤ１３の上面を覆う部分のみ形成されている。
そして、金属製のベゼル１４の互いに対向する一対の長辺側の下面にはそれぞれベゼル１４と一体に成形した弾性部３７が長手方向に互いに離間して２箇所（合計４箇所）形成されている。
【００２１】
弾性部３７はケース１２側に向かって膨出する円弧状をなしており、ベゼル１４の下面幅と略同一幅とされている。
また、ベゼル１４の互いに対向する一対の長辺側の前記弾性部３７に隣接する位置にはそれぞれ係止孔１５が長手方向に互いに離間して２箇所（合計４箇所）形成され、ケース１２の互いに対向する一対の長辺側にはそれぞれ前記係止孔１５に対応する係止爪１６が長手方向に互いに離間して２箇所（合計４箇所）形成されている。
【００２２】
このように金属製のベゼル１４に弾性部３７を形成することで、弾性部３７の破損の可能性を低くすることができ、また、成形後の弾性部３７の弾性力の調整を容易にすることができる。
【００２３】
更に、前述した実施形態において、ＬＣＤ１３に対して弾性接触する弾性部をケース１２側又はベゼル１４側に配置した場合を例示したが、前記弾性部をケース１２側およびベゼル１４側の両方に互いに干渉しないように配置してもよい。
【００２４】
その他、前述した各実施形態において例示したケース、表示素子、ベゼル、弾性部、係合構造等の材質，形状，寸法，形態，数，配置個所等は本発明を達成できるものであれば任意であり、限定されない。
【図面の簡単な説明】
【００２５】
【図１】本発明に係る第１実施形態である液晶表示装置を説明するための分解斜視図である。
【図２】本発明に係る第２実施形態である液晶表示装置を説明するための分解斜視図である。
【図３】図２の部分拡大図である。
【図４】本発明に係る第３実施形態である液晶表示装置を説明するための分解斜視図である。
【図５】図４の部分拡大図である。
【図６】従来の液晶表示装置を説明するための分解斜視図である。
【符号の説明】
【００２６】
１０  液晶表示装置
１２  ケース
１３  ＬＣＤ（表示素子）
１４  ベゼル
１７  弾性部
【図１】
2006038993.tif 000003
【図２】
2006038993.tif 000004
【図３】
2006038993.tif 000005
【図４】
2006038993.tif 000006
【図５】
2006038993.tif 000007
【図６】
2006038993.tif 000008